(57)【要約】【課題】異なる通貨単位の値段算出を簡易化することで、海外通貨で値段表示された商品の購入が円滑に行える情報処理装置及び情報処理方法を提供すること。【解決手段】値段画像を入力するカメラ１１と、カメラ１１により入力された値段画像に示された数字を画像認識する画像認識部１３と、値段情報に対応する通貨単位及び該通貨単位と異なる通貨単位との変換レートを、通貨単位特定情報に基づいて特定する変換レート特定部１４と、変換レート特定部１４により特定された変換レートに基づいて、値段情報に対応する異なる通貨単位の値段を算出する算出部１５と、算出部１５により算出された異なる通貨単位の値段を通知する通知部１７と、を備える携帯端末１を提供する。【選択図】図１
2014215965.tif 000002
【特許請求の範囲】
【請求項１】
値段を示す情報である値段情報を含む値段画像を入力する入力手段と、
前記入力手段により入力された値段画像に示された数字を画像認識する画像認識手段と、
前記値段情報に対応する通貨単位及び該通貨単位と異なる通貨単位との変換レートを、通貨単位特定情報に基づいて特定する変換レート特定手段と、
前記変換レート特定手段により特定された変換レートに基づいて、前記値段情報に対応する前記異なる通貨単位の値段を算出する算出手段と、
前記算出手段により算出された異なる通貨単位の値段を通知する通知手段と、
を備える情報処理装置。
【請求項２】
前記画像認識手段は、前記値段画像に示された通貨記号を画像認識し、
前記変換レート特定手段は、前記画像認識手段によって画像認識された通貨記号を前記通貨単位特定情報として用いる、請求項１に記載の情報処理装置。
【請求項３】
情報処理装置の位置を示す位置情報を取得する位置取得手段をさらに備え、
前記変換レート特定手段は、前記位置取得手段により取得された前記位置情報を前記通貨単位特定情報として用いる、請求項１又は２に記載の情報処理装置。
【請求項４】
前記通知手段は、前記入力手段により入力された値段画像に、前記算出手段により算出された異なる通貨単位の値段を重畳表示する、請求項１〜３のいずれか一項に記載の情報処理装置。
【請求項５】
通貨単位毎に為替レートを記憶する記憶手段をさらに備え、
前記変換レート特定手段は、前記記憶手段に記憶された為替レートに基づいて、前記値段情報に対応する通貨単位の変換レートを特定する、請求項１〜４のいずれか一項に記載の情報処理装置。
【請求項６】
値段を示す情報である値段情報を含む値段画像を入力する入力ステップと、
前記入力ステップにおいて入力された値段画像に示された数字を画像認識する画像認識ステップと、
前記値段情報に対応する通貨単位及び該通貨単位と異なる通貨単位との変換レートを、通貨単位特定情報に基づいて特定する変換レート特定ステップと、
前記変換レート特定ステップにおいて特定された変換レートに基づいて、前記値段情報に対応する前記異なる通貨単位の値段を算出する算出ステップと、
前記算出ステップにおいて算出された異なる通貨単位の値段を通知する通知ステップと、
を含む情報処理方法。
【請求項７】
値段を示す情報である値段情報を含む値段画像を入力する入力モジュールと、
前記入力モジュールにより入力された値段画像に示された数字を画像認識する画像認識モジュールと、
前記値段情報に対応する通貨単位及び該通貨単位と異なる通貨単位との変換レートを、通貨単位特定情報に基づいて特定する変換レート特定モジュールと、
前記変換レート特定モジュールにより特定された変換レートに基づいて、前記値段情報に対応する前記異なる通貨単位の値段を算出する算出モジュールと、
前記算出モジュールにより算出された異なる通貨単位の値段を通知する通知モジュールと、
を備える情報処理プログラム。
【発明の詳細な説明】
【技術分野】
【０００１】
本発明は、貨幣を認識する情報処理装置、情報処理方法、及び情報処理プログラムに関する。
【背景技術】
【０００２】
従来より、商品の値段を携帯端末等のカメラ又はＱＲコード（登録商標）により取得する技術が知られている。例えば、特許文献１には、携帯端末のカメラで撮影した値札情報に基づいて値段を取得することが記載されている。なお、特許文献１では、値札情報とともに、該撮影場所の位置情報を取得することで、位置情報に基づく周辺店舗の値段も取得している。
【先行技術文献】
【特許文献】
【０００３】
【特許文献１】特開２０１１−４８５９１号公報
【発明の概要】
【発明が解決しようとする課題】
【０００４】
ここで、上述した技術を利用して海外通貨で表示されている値段を取得することが考えらえる。しかしながら、例えば、値段が購入者にとってなじみのない国の通貨単位の値段で表示されている場合には、購入者は該通貨の為替レートを把握していないため、値段を見た際に即座に値段の感覚をつかむことができない。このような場合、購入者は、為替レートを調べて、それに基づき自国通貨単位の値段を自ら算出する必要がある。このことが、海外における商品購入等を煩わしいものとしている。
【０００５】
本発明は上記課題に鑑みてなされたものであり、異なる通貨単位の値段算出を簡易化することで、海外通貨で値段表示された商品の購入が円滑に行える情報処理装置及び情報処理方法を提供することを目的とする。
【課題を解決するための手段】
【０００６】
上記の課題を解決するために、本発明の情報処理装置は、値段を示す情報である値段情報を含む値段画像を入力する入力手段と、入力手段により入力された値段画像に示された数字を画像認識する画像認識手段と、値段情報に対応する通貨単位及び該通貨単位と異なる通貨単位との変換レートを、通貨単位特定情報に基づいて特定する変換レート特定手段と、変換レート特定手段により特定された変換レートに基づいて、値段情報に対応する異なる通貨単位の値段を算出する算出手段と、算出手段により算出された異なる通貨単位の値段を通知する通知手段と、を備えている。
【０００７】
この発明によれば、通貨単位特定情報に基づいて、値段画像に示された通貨単位の変換レートが特定される。通貨単位特定情報を用いることにより、通貨単位の変換レートを容易に特定することができる。また、算出手段によって算出された異なる通貨単位の値段が、通知手段により商品の購入者等に通知されるため、商品の購入者等は自らレート計算等を行うことなく異なる通貨単位を把握できる。すなわち、異なる通貨単位の値段算出を簡易化し、海外通貨で値段表示された商品の購入を円滑に行うことができる。
【０００８】
また、本発明の情報処理装置において、画像認識手段は、値段画像に示された通貨記号を画像認識し、変換レート特定手段は、画像認識手段によって画像認識された通貨記号を通貨単位特定情報として用いる。これにより、通貨単位の特定精度、ひいては変換レートの特定精度を高くすることができる。
【０００９】
また、本発明の情報処理装置において、情報処理装置の位置を示す位置情報を取得する位置取得手段をさらに備え、変換レート特定手段は、位置取得手段により取得された位置情報を通貨単位特定情報として用いる。これにより、通貨単位の特定精度、ひいては変換レートの特定精度を高くすることができる。
【００１０】
また、本発明の情報処理装置において、通知手段は、入力手段により入力された値段画像に、算出手段により算出された異なる通貨単位の値段を重畳表示する。入力手段により入力された画像に重畳表示されることで、商品の購入者等は、異なる通貨単位の値段をより感覚的に把握しやすくなる。
【００１１】
また、本発明の情報処理装置において、通貨単位毎に為替レートを記憶する記憶手段をさらに備え、変換レート特定手段は、記憶手段に記憶された為替レートに基づいて、値段情報に対応する通貨単位の変換レートを特定する。情報処理装置内に記憶された為替レートから通貨単位の変換レートを特定することで、変換レート特定処理を迅速に行うことができる。
【００１２】
本発明の情報処理方法は、値段を示す情報である値段情報を含む値段画像を入力する入力ステップと、入力ステップにおいて入力された値段画像に示された数字を画像認識する画像認識ステップと、値段情報に対応する通貨単位及び該通貨単位と異なる通貨単位との変換レートを、通貨単位特定情報に基づいて特定する変換レート特定ステップと、変換レート特定ステップにおいて特定された変換レートに基づいて、値段情報に対応する異なる通貨単位の値段を算出する算出ステップと、算出ステップにおいて算出された異なる通貨単位の値段を通知する通知ステップと、を含んでいる。本情報処理方法は、上述した情報処理装置と同様の効果を奏することができる。
【００１３】
本発明の情報処理プログラムは、値段を示す情報である値段情報を含む値段画像を入力する入力モジュールと、入力モジュールにより入力された値段画像に示された数字を画像認識する画像認識モジュールと、値段情報に対応する通貨単位及び該通貨単位と異なる通貨単位との変換レートを、通貨単位特定情報に基づいて特定する変換レート特定モジュールと、変換レート特定モジュールにより特定された変換レートに基づいて、値段情報に対応する異なる通貨単位の値段を算出する算出モジュールと、算出モジュールにより算出された異なる通貨単位の値段を通知する通知モジュールと、を備えている。本情報処理プログラムは、上述した情報処理装置及び情報処理方法と同様の効果を奏することができる。
【発明の効果】
【００１４】
本発明によれば、異なる通貨間での値段換算を簡易化することで、海外通貨で値段表示された商品の購入を円滑に行うことができる。
【図面の簡単な説明】
【００１５】
【図１】本実施形態に係る携帯端末の機能を示すブロック図である。
【図２】記憶部に記憶された為替レートの例を示す図である。
【図３】通知部による重畳表示イメージを示す図である。
【図４】携帯端末のハードウェア構成図である。
【図５】本実施形態に係る携帯端末の処理を示すフローチャートである。
【発明を実施するための形態】
【００１６】
以下、図面を参照しながら本発明の実施形態を説明する。可能な場合には、同一の部分には同一の符号を付して、重複する説明を省略する。
【００１７】
図１は、本実施形態に係る携帯端末１の機能を示すブロック図である。図１に示されるとおり、携帯端末１は、カメラ１１と、位置取得部１２と、画像認識部１３と、変換レート特定部１４と、算出部１５と、記憶部１６と、通知部１７と、を備えている。携帯端末１は情報処理装置であり、スマートフォン等の携帯機器や、ＰＣ端末などの通信端末である。以下、図１に示す機能ブロックに基づいて、各機能ブロックを説明する。
【００１８】
カメラ１１は、商品又はサービス（以下商品等と記載する）の値段を示す情報である値段情報を含む値段画像を画像認識部１３及び通知部１７に入力する入力手段としての機能を有するものである。値段情報とは、例えば商品等の値札等である。商品等の値段情報とは、数字及び通貨記号の双方を含むもの（例えば＄１００）であってもよいし、数字のみ（例えば１００）であってもよい。カメラ１１は、値段画像を、数ｍｓ〜数十ｍｓ間隔で画像認識部１３及び通知部１７に入力する。
【００１９】
位置取得部１２は、基地局から発信される電波の受信状況を利用して測位する基地局測位や、ＧＰＳを利用するＧＰＳ測位等によって携帯端末１の位置情報を取得する位置取得手段としての機能を有するものである。位置取得部１２は、例えば数秒〜数十秒間隔で、携帯端末１の位置情報を取得しており、取得した位置情報を変換レート特定部１４に入力する。
【００２０】
画像認識部１３は、カメラ１１により入力された値段画像に示された数字を画像認識する画像認識手段としての機能を有するものである。画像認識部１３による画像認識は、従来から周知となっている技術、例えばＯＣＲ（Optical Character Recognition）技術により行われ、予め登録された複数の数字のパターンを参照することにより、値段表示に示された数字を認識する。
【００２１】
また、画像認識部１３は、値段画像に示された通貨記号を画像認識することとしてもよい。この場合には、複数の通貨の通貨記号のパターンについても予め登録しておく必要がある。画像認識した通貨記号が、後述する通貨単位特定情報となる。画像認識部１３は、画像認識した結果を算出部１５及び変換レート特定部１４に入力する。
【００２２】
また、画像認識部１３は、値段画像を画像認識する際、値段画像において値段情報が表示がされている位置を示す値段表示位置情報を取得する。そして、画像認識部１３は、値段画像と値段画像における値段表示位置情報とを紐づけて、算出部１５に入力する。
【００２３】
変換レート特定部１４は、通貨単位特定情報に基づいて、値段情報に対応する通貨単位及び該通貨単位と異なる通貨単位との変換レートを特定する変換レート特定手段としての機能を有するものである。具体的には、変換レート特定部１４は、通貨単位特定情報に基づいて通貨単位を特定する通貨単位特定処理と、特定した通貨単位の変換レートを特定する変換レート特定処理とを行う。
【００２４】
変換レート特定部１４による通貨単位特定処理に用いられる通貨単位特定情報とは、その情報を取得することによって通貨単位が一意に特定される情報である。変換レート特定部１４は、例えば、画像認識部１３により画像認識された通貨記号を通貨単位特定情報として用いて通貨単位を特定する。また、変換レート特定部１４は、例えば、位置取得部１２により取得された携帯端末１の位置情報を通貨単位特定情報として用いて通貨単位を特定する。携帯端末１の位置情報からは、少なくとも携帯端末１が位置する国が特定できるため、当該国で流通している通貨単位を特定することができる。
【００２５】
なお、変換レート特定部１４は、上述した、画像認識部１３により画像認識された通貨記号と位置取得部１２により取得された携帯端末１の位置情報との両方を通貨単位特定情報として用いて通貨単位を特定することもできる。これによれば、画像認識部１３により画像認識された通貨記号の候補が複数あるような場合（画像認識によって、一の通貨記号を特定できなかった場合）であっても、携帯端末１の位置情報から携帯端末１が位置する国を特定できるため、当該位置情報を補助的に用いて、当該国の通貨単位でない通貨単位の通貨記号を除外し、適切な一の通貨単位を特定できる。
【００２６】
変換レート特定部１４による変換レート特定処理は、通貨単位特定処理において特定した通貨単位と、記憶部１６に記憶された為替レートとに基づいて行われる。変換レート特定部１４は、変換レート特定処理において特定した特定の通貨単位の変換レートを、算出部１５に入力する。記憶部１６が記憶する為替レートとは、通貨単位毎の他の通貨との変換レートである。記憶部１６が記憶する為替レートを、図２を用いて説明する。図２は、記憶部１６に記憶された為替レートの例を示す図である。例えば、通貨単位が＄（ドル）であると特定されている場合には、図２のアメリカ欄（表の２行目）より、ドルの変換レートを特定することができる。すなわち、１ドルは９３．１円であり、０．７６７ユーロであり、１．０２カナダドルであるとする変換レートを特定できる。
【００２７】
図１に戻り、記憶部１６は、インターネット回線等を通じて、クラウド上に設けられた為替レート更新装置２１と通信を行い、最新の為替レートを取得し記憶する記憶手段である。為替レート更新装置２１は、リアルタイムに為替レートを更新している。記憶部１６は、例えば数分〜数十分毎に為替レート更新装置２１と通信を行い為替レートを最新のレートに更新する。なお、記憶部１６が為替レート更新装置２１と通信ができない場合であっても、記憶部１６には、最後に為替レート更新装置２１と通信を行った際の為替レートが記憶されているため、変換レート特定部１４による変換レートの特定は可能である。
【００２８】
算出部１５は、画像認識部１３から入力された値段画像に示された数字と、変換レート特定部１４から入力された特定の通貨単位の変換レートとに基づいて、当該特定の通貨単位とは異なる通貨単位換算での値段を算出する算出手段としての機能を有するものである。例えば、変換レート特定部１４により通貨単位がドルと特定され、変換レート特定部１４により図２のアメリカ欄（表の２行目）の変換レートが入力されたとする。該変換レートは１ドルに対する各通貨単位の金額を表している。そして、例えば、画像認識部１３から入力された値段画像に示された数字が１００である場合には、円における値段は、１００ドル＝９３．１円×１００＝９３１０円、と算出される。なお、値段を算出したい通貨単位（異なる通貨単位）は、事前に設定しておいてもよいし、値段算出毎に設定してもよい。このような設定は、算出部１５に入力される。
【００２９】
算出部１５は、算出した異なる通貨単位の値段と画像認識部１３から入力された値段画像及び値段画像における値段表示位置情報とを紐づけて、通知部１７に入力する。
【００３０】
通知部１７は、カメラ１１から入力された値段画像に、算出部１５から入力された、算出したい通貨単位（異なる通貨単位）の値段を重畳表示する通知手段としての機能を有するものである。値段画像への重畳表示は、従来から周知となっているＡＲ（AUGMENTED REALITY：拡張現実）技術が用いられる。
【００３１】
具体的には、通知部１７は、算出部１５から、値段画像とともに、該画像における値段表示位置情報が入力されているため、値段表示位置情報に示された位置の近傍を、異なる通貨単位の値段を重畳表示する位置として特定する。そして、特定した重畳表示する位置に、算出部１５から入力された異なる通貨単位の値段を重畳表示する。
【００３２】
なお、値段表示位置情報に示された位置の近傍ではなく、値段表示位置の場所そのものに異なる通貨単位の値段を重畳表示してもよい。この場合、現地の価格は画面上には表示されず、重畳表示された異なる通貨単位の値段のみが表示されることとなる。
【００３３】
ここで、通知部１７が異なる通貨単位の値段を重畳表示する対象の画像は、カメラ１１から入力される値段画像をもとに作成されるが、上述したように、カメラ１１は数ｍｓ〜数十ｍｓ間隔で値段画像を入力しているため、カメラ１１から入力された値段画像をもとに重畳表示位置を決定しても、現実の位置とは異なる場合があり、単に、算出部１５から入力された値段表示位置情報に基づいて異なる通貨単位の値段を重畳表示することは好ましくない。
【００３４】
よって、通知部１７は、算出部１５から入力された値段画像における値段表示位置と比較してカメラ１１から入力された値段画像における値段表示位置がどの程度変化したか特定（値段表示位置をトラッキングすることにより変化量を特定）し、該変化量を考慮した上で、カメラ１１から入力された値段画像に、異なる通貨単位の値段を重畳表示する。このような重畳表示は、上述したように、従来から周知となっているＡＲ技術により実現される。
【００３５】
なお、算出部１５が、異なる通貨単位の値段と画像認識部１３から入力された値段画像における値段表示位置情報とを紐づけて通知部１７に入力しているため、例えば、図３に示されるように、１つの画像に２つ以上の値段情報が含まれている場合にも、それぞれ適切に値段の重畳表示部分２０１，２０２を表示することができる。
【００３６】
なお、値段画像以外の部分、例えば図３における「ＳＡＶＥ」という文字については、「割引」のように、指定した言語への翻訳結果を表示してもよい。この場合は、値段画像のようにリアルタイムの変換レートを参照することなく、辞書による翻訳結果を重畳表示すればよい。なお、画像内の言語を他の言語に翻訳して表示するものとしては、ＮＴＴドコモ社製「うつして翻訳」やＧｏｏｇｌｅ社製「Ｇｏｏｇｌｅ  Ｔｒａｎｓｌａｔｅ」のようなサービスがすでにある。
【００３７】
次に、図４を参照して、携帯端末１のハードウェア構成について説明する。図４は、携帯端末１のハードウェア構成図である。図１に示される携帯端末１は、物理的には、図４に示されるとおり、ＣＰＵ１０１、主記憶装置であるＲＡＭ１０２及びＲＯＭ１０３、入力デバイスである入力装置１０４、ディスプレイ等の出力装置１０５、ネットワークカード等のデータ送受信デバイスである通信モジュール１０６、半導体メモリ等の補助記憶装置１０７などで構成されている。図１における各機能は、図４に示すＣＰＵ１０１、ＲＡＭ１０２等のハードウェア上に所定のコンピュータソフトウェアを読み込ませることにより、ＣＰＵ１０１の制御のもとで入力装置１０４、出力装置１０５、通信モジュール１０６を動作させるとともに、ＲＡＭ１０２や補助記憶装置１０７におけるデータの読み出し及び書き込みを行うことで実現される。
【００３８】
次に、上述したように構成された本実施形態の携帯端末１の処理について説明する。図５は、本実施形態に係る携帯端末１の処理を示すフローチャートである。
【００３９】
まず、ユーザ操作により、値段を算出したい通貨単位が算出部１５に入力される（Ｓ１）。通貨単位の設定後、携帯端末１のカメラにより、商品の値札等の値段情報を含む値段画像が、画像認識部１３及び通知部１７に入力される（Ｓ２、入力ステップ）。
【００４０】
つづいて、画像認識部１３により、カメラ１１が入力した値段画像に示された数字及び通貨記号が画像認識される（Ｓ３、画像認識ステップ）。画像認識結果は算出部１５及び変換レート特定部１４に入力される。また、画像認識部１３により、値段画像における値段表示位置情報が取得され、値段画像と値段画像における値段表示位置情報とが算出部１５に入力される。
【００４１】
つづいて、位置取得部１２による携帯端末１の位置情報の取得が可能か否かが判断される（Ｓ４）。位置情報の取得が可能である場合には、該位置情報が取得され変換レート特定部１４に入力される。そして、変換レート特定部１４により、携帯端末１の位置情報が通貨単位特定情報として用いられ通貨単位が特定される（Ｓ５、変換レート特定ステップ）。
【００４２】
一方、Ｓ４において位置情報の取得ができない場合には、変換レート特定部１４により、画像認識部１３が画像認識した値段画像に示された通貨記号が通貨単位特定情報として用いられ通貨単位が特定される（Ｓ６、変換レート特定ステップ）。
【００４３】
つづいて、変換レート特定部１４により、記憶部１６が記憶する通貨単位毎の為替レートが取得される（Ｓ７、変換レート特定ステップ）。そして、為替レートに基づいて、変換レート特定部１４により、値段画像に示された通貨単位の変換レートが特定される（Ｓ８、変換レート特定ステップ）。該変換レートは、変換レート特定部１４により算出部１５に入力される。
【００４４】
つづいて、画像認識部１３が入力した値段画像に示された数字と変換レート特定部１４が入力した変換レートとを用いて、算出部１５により算出したい通貨単位（特定の通貨単位とは異なる通貨単位）の値段が算出される（Ｓ９、算出ステップ）。該算出結果と、画像認識部１３が入力した値段画像及び値段画像における値段表示位置とが、算出部１５により通知部１７に入力される。
【００４５】
最後に、通知部１７により、カメラ１１が入力した値段画像に、算出部１５が入力した異なる通貨単位の値段が重畳表示される（Ｓ１０、通知ステップ）。以上で、一連の携帯端末１の処理は終了となる。
【００４６】
次に、コンピュータを上記の携帯端末１として機能させるための情報処理プログラムについて説明する。情報処理プログラムは、コンピュータが読み取り可能な記録媒体に格納されて提供されるものであり、具体的には、値段を示す情報である値段情報を含む値段画像を入力する入力モジュールと、入力モジュールにより入力された値段画像に示された数字を画像認識する画像認識モジュールと、値段情報に対応する通貨単位及び該通貨単位と異なる通貨単位との変換レートを、通貨単位特定情報に基づいて特定する変換レート特定モジュールと、変換レート特定モジュールにより特定された変換レートに基づいて、値段情報に対応する異なる通貨単位の値段を算出する算出モジュールと、算出モジュールにより算出された異なる通貨単位の値段を通知する通知モジュールと、を備える。上述の各モジュールは、図５に示されるフローチャートに従って動作するものである。
【００４７】
次に、本実施形態の携帯端末１の作用効果について説明する。本実施形態の携帯端末１によれば、通貨単位特定情報に基づいて、値段画像に示された通貨単位の変換レートが特定される。通貨単位特定情報を用いることにより、通貨単位の変換レートを容易に特定することができる。また、算出部１５によって算出された、異なる通貨単位の値段が通知部１７により商品の購入者等に通知されるため、商品等の購入者等は自らレート計算等を行うことなく異なる通貨単位を把握できる。すなわち、異なる通貨単位の値段算出を簡易化し、海外通貨で値段表示された商品等の購入を円滑に行うことができる。
【００４８】
また、本実施形態の携帯端末１において、画像認識部１３が値段画像に示された通貨記号を画像認識し、変換レート特定部１４が画像認識部１３によって画像認識された通貨記号を通貨単位特定情報として用いて通貨単位を特定することにより、実際に画像認識した通貨記号から通貨単位を特定できるため、通貨単位の特定精度、ひいては変換レートの特定精度を高くすることができる。
【００４９】
また、本実施形態の携帯端末１において、携帯端末１の位置を示す位置情報を取得する位置取得部１２をさらに備え、変換レート特定部１４は、位置取得部１２により取得された位置情報を通貨単位特定情報として用いることにより、通貨単位の特定精度、ひいては変換レートの特定精度を高くすることができる。
【００５０】
また、本実施形態の携帯端末１において、通知部１７は、カメラ１１により入力された値段画像に、異なる通貨単位の値段を重畳表示することで、商品等の購入者が視認できる画像に通貨単位の値段が重畳表示されるため、異なる通貨単位の値段をより感覚的に把握しやすくなる。
【００５１】
また、本実施形態の携帯端末１において、通貨単位毎に為替レートを記憶する記憶部１６をさらに備え、変換レート特定部１４は、記憶部１６に記憶された為替レートに基づいて、値段情報に対応する通貨単位の変換レートを特定する。携帯端末１内に記憶された為替レートから通貨単位の変換レートを特定することで、変換レート特定処理を迅速に行うことができる。
【００５２】
以上、本発明の好適な実施形態について説明したが、本発明は上記実施形態に限られるものではなく、各請求項に記載した要旨を変更しない範囲で変形し、又は他のものに適用したものであってもよい。
【００５３】
例えば、通知部１７による異なる通貨単位の値段の通知は、必ずしも画像への重畳表示に限定されるものではなく、商品等の購入者に異なる通貨単位の値段を通知できるものであればよい。すなわち、その他の表示方法や音声等により、異なる通貨単位の値段を通知するものであってもよい。
【００５４】
また、情報処理装置は携帯端末１に限定されず、サーバ装置等であってもよい。また、情報処理装置の各機能は複数の端末により実装されるものでもよく、例えば、記憶部１６以外の各機能は携帯端末が保持し、記憶部１６はサーバ装置が保持する構成であってもよい。
【００５５】
また、情報処理装置は、ヘッドマウントディスプレイを具備する眼鏡型端末であってもよい。上述した携帯端末１ではカメラ１１により入力された値段画像の上に異なる通貨単位の値段を重畳表示したが、情報処理装置が眼鏡型端末である場合には、眼鏡型端末を介してユーザが実際に視認した現実世界の物体に重畳画像を表示する。よって、情報処理装置が眼鏡型端末である場合には、値段画像をもとに重畳画像を重畳する位置を決定し、眼鏡型端末のヘッドマウントディスプレイ表示面に重畳画像を表示する。
【符号の説明】
【００５６】
１…携帯端末、１１…カメラ、１２…位置取得部、１３…画像認識部、１４…変換レート特定部、１５…算出部、１６…記憶部、１７…通知部、２１…為替レート更新装置、１０１…ＣＰＵ、１０２…ＲＡＭ、１０３…ＲＯＭ、１０４…入力装置、１０５…出力装置、１０６…通信モジュール、１０７…補助記憶装置。
【図１】
2014215965.tif 000003
【図２】
2014215965.tif 000004
【図３】
2014215965.tif 000005
【図４】
2014215965.tif 000006
【図５】
2014215965.tif 000007